(57)【特許請求の範囲】
【請求項１】
浴室内の空気を吸い込む吸込口と、前記浴室へ空気を吹き出す吹出口と、前記吸込口から吸い込んだ空気を加熱して前記吹出口へ送る温風発生手段と、前記吸込口と前記吹出口が設けられ、前記温風発生手段を内蔵するハウジングとを有する浴室暖房乾燥機を、前記浴室の天井に取り付ける場合に、前記吸込口と前記吹出口を前記天井に設けた開口部に対して位置決めする浴室暖房乾燥機の位置決め構造において、
前記開口部が、四角形の第１開口部、又は、前記第１開口部と寸法が異なる四角形の第２開口部であること、
前記ハウジングに立設されるものであって、Ｌ字形に形成され、前記開口部の角部に外側面をｘ軸方向とｙ軸方向に当接させて前記浴室暖房乾燥機を前記開口部に対して位置決めするリブと、
前記リブによる位置決め位置を、前記第１開口部に対して位置決めする第１位置決め位置と、前記第２開口部に対して位置決めする第２位置決め位置に変更する変更手段と、を有する
ことを特徴とする浴室暖房乾燥機の位置決め構造。
【請求項２】
請求項１に記載する浴室暖房乾燥機の位置決め構造において、
前記リブに立設されるピンと、
前記ハウジングに形成され、前記ピンに嵌合する機器側ピン孔を有し、
前記変更手段は、前記ピンを前記リブに立設する位置を変更するものであること
を特徴とする浴室暖房乾燥機の位置決め構造。
【請求項３】
請求項２に記載する浴室暖房乾燥機の位置決め構造において、
前記変更手段が、前記第１位置決め位置に対応して前記リブを前記ハウジングに配置するように、前記リブに形成され、前記ピンに嵌合する第１リブ側ピン孔と、前記第２位置決め位置に対応して前記リブを前記ハウジングに配置するように、前記リブに形成され、前記ピンに嵌合する第２リブ側ピン孔であること
を特徴とする浴室暖房乾燥機の位置決め構造。
【請求項４】
請求項２に記載する浴室暖房乾燥機の位置決め構造において、
前記変更手段が、前記第１位置決め位置に対応するように前記リブの一端面に立設されて前記機器側ピン孔に嵌合する第１ピンと、前記第２位置決め位置に対応するように前記リブの前記一端面に対向する他端面に立設されて前記機器側ピン孔に嵌合する第２ピンであること、
を特徴とする浴室暖房乾燥機の位置決め構造。
【請求項５】
請求項１に記載する浴室暖房乾燥機の位置決め構造において、
前記変更手段が、前記リブに脱着可能に装着されるカバーであること
を特徴とする浴室暖房乾燥機の位置決め構造。
【請求項６】
請求項１乃至請求項５の何れか一つに記載する浴室暖房乾燥機の位置決め構造において、
前記ハウジングが、前記吹出口から前記空気を吹き出す側に、前記リブを立設されること、
を特徴とする浴室暖房乾燥機の位置決め構造。
【請求項７】
請求項１乃至請求項６の何れか一つに記載する位置決め構造を使用して前記浴室に取り付けられることを特徴とする浴室暖房乾燥機。
【発明の詳細な説明】
【技術分野】
【０００１】
本発明は、浴室内の空気を吸い込む吸込口と、浴室へ空気を吹き出す吹出口を備える浴室暖房乾燥機を、浴室の天井に設けられた開口部に対して位置決めする浴室暖房乾燥機の位置決め構造及びそれを使用する浴室暖房乾燥機に関する。
【背景技術】
【０００２】
浴室暖房乾燥機は、浴室内の空気を吸込口から吸い込んで加熱し、暖めた空気を吹出口から浴室へ吹き出すことにより、浴室を暖房したり、乾燥させたりする。浴室暖房乾燥機は、吸込口と吹出口の位置を浴室の天井に設けられた開口部に対して位置決めする位置決め構造を備える（例えば特許文献１参照。）。
【先行技術文献】
【特許文献】
【０００３】
【特許文献１】実開平７−２８７９号公報
【発明の概要】
【発明が解決しようとする課題】
【０００４】
しかしながら、従来の浴室暖房乾燥機の位置決め構造は、一つの形状の開口部に対してのみ浴室暖房乾燥機を位置決めするものであった。そのため、従来の浴室暖房乾燥機は、自身の位置決め構造に対応する開口部にしか取り付けることができなかった。
【０００５】
浴室暖房乾燥機は、入浴時の心地良さ、防カビ対策、衣服乾燥等の利便性に富み、一般家庭の浴室に広く取り付けられ、市場には様々な機種が出回っている。顧客の中には、長年使用した浴室暖房乾燥機を新しい浴室暖房乾燥機に交換したり、既設の浴室暖房乾燥機を新機能を有する浴室暖房乾燥機に交換するなどのリフォームを希望する者がいる。一方、浴室の天井には、最初に取り付けられた浴室暖房乾燥機に合わせて開口部が形成されている。この開口部は、機種によって大きさが異なり、２〜３種類の大きさがある。よって、一つの形状の開口部に対してのみ位置決めされる従来の浴室暖房乾燥機は、顧客に気に入られても、例えば、リフォーム先の開口部が位置決め可能な開口部より大きい場合には、位置決めできず、取り付けることができなかった。そのため、従来の浴室暖房乾燥機では、顧客は、リフォーム時に自宅の浴室に設けた開口部に対応する機種しか選択できず、顧客が浴室暖房乾燥機を選択する幅を狭めてしまっていた。
【０００６】
本発明は、上記問題点を解決するためになされたものであり、寸法の異なる第１開口部と第２開口部に対して浴室暖房乾燥機を位置決めできる浴室暖房乾燥機の位置決め構造及び浴室暖房乾燥機を提供することを目的とする。
【課題を解決するための手段】
【０００７】
本発明の一態様は、次のような構成を有している。
（１）浴室内の空気を吸い込む吸込口と、前記浴室へ空気を吹き出す吹出口と、前記吸込口から吸い込んだ空気を加熱して前記吹出口へ送る温風発生手段と、前記吸込口と前記吹出口が設けられ、前記温風発生手段を内蔵するハウジングとを有する浴室暖房乾燥機を、前記浴室の天井に取り付ける場合に、前記吸込口と前記吹出口を前記天井に設けた開口部に対して位置決めする浴室暖房乾燥機の位置決め構造において、前記開口部が、四角形の第１開口部、又は、前記第１開口部と寸法が異なる四角形の第２開口部であること、前記ハウジングに立設されるものであって、Ｌ字形に形成され、前記開口部の角部に外側面をｘ軸方向とｙ軸方向に当接させて前記浴室暖房乾燥機を前記開口部に対して位置決めするリブと、前記リブによる位置決め位置を、前記第１開口部に対して位置決めする第１位置決め位置と、前記第２開口部に対して位置決めする第２位置決め位置に変更する変更手段と、を有することを特徴とする。
【０００８】
上記構成の浴室暖房乾燥機の位置決め構造では、ハウジングに立設されたリブの外側面を開口部の角部にｘ軸方向とｙ軸方向に当接させることで、浴室暖房乾燥機の吸込口と吹出口を開口部に対して位置決めする。浴室暖房乾燥機は、第１開口部が設けられた浴室に取り付ける場合、変更手段により、リブによる位置決め位置を、第１開口部に対して位置決めする第１位置決め位置とする。これにより、浴室暖房乾燥機は、吸込口と吹出口を第１開口部に対して位置決めした状態で浴室の天井に取り付けられる。一方、浴室暖房乾燥機は、第２開口部が設けられた浴室の天井に取り付ける場合、変更手段により、リブによる位置決め位置を、第１開口部と寸法が異なる第２開口部に対して位置決めする第２位置決め位置とする。これにより、浴室暖房乾燥機は、吸込口と吹出口を第２開口部に対して位置決めした状態で浴室に取り付けられる。
【０００９】
リフォームにより浴室暖房乾燥機を浴室に取り付ける場合、開口部が既設されている。開口部は、最初に浴室に取り付けられた浴室暖房乾燥機に合わせて開設されており、新設する浴室暖房乾燥機は既に開設されている開口部に対して位置決めする必要がある。上述したように、上記構成の浴室暖房乾燥機の位置決め構造では、変更手段により、リブによる位置決め位置を変えることで、寸法の異なる第１及び第２開口部に対して浴室暖房乾燥機を位置決めする。そのため、顧客は、自宅の浴室に第１開口部と第２開口部の何れが設けられた場合でも、上記構成の浴室暖房乾燥機を選択することができる。つまり、顧客は、自宅の浴室に設けられた開口部の形状に制約されずに、浴室暖房乾燥機を選択でき、浴室暖房乾燥機を選択する幅が広げられる。
【００１０】
（２）（１）に記載の構成において、好ましくは、前記リブに立設されるピンと、前記ハウジングに形成され、前記ピンに嵌合する機器側ピン孔を有し、前記変更手段は、前記ピンを前記リブに立設する位置を変更するものであることを特徴とする。
尚、ピンは、リブに一体に設けられていても良いし、リブに脱着できるように設けても良い。
【００１１】
上記構成によれば、ハウジングに形成された機器側ピン孔に、リブに立設されたピンを嵌合する場合、変更手段により、ピンをリブに立設する位置を変更するだけで、リブによる位置決め位置を第１位置決め位置と第２位置決め位置に簡単に変更できる。
【００１２】
（３）（２）に記載の構成において、好ましくは、前記変更手段が、前記第１位置決め位置に対応して前記リブを前記ハウジングに配置するように、前記リブに形成され、前記ピンに嵌合する第１リブ側ピン孔と、前記第２位置決め位置に対応して前記リブを前記ハウジングに配置するように、前記リブに形成され、前記ピンに嵌合する第２リブ側ピン孔であることを特徴とする。
【００１３】
上記構成の浴室暖房乾燥機の位置決め構造では、リブの第１リブ側ピン孔にピンを嵌合すると、リブの外側面が第１開口部の角部に当接するようにリブがハウジングに配置されるので、浴室暖房乾燥機を第１開口部に対して位置決めすることが可能である。一方、リブの第２リブ側ピン孔にピンを嵌合すると、リブの外側面が第２開口部の角部に当接するようにリブがハウジングに配置されるので、浴室暖房乾燥機を第２開口部に対して位置決めすることが可能である。このように、上記構成の浴室暖房乾燥機の位置決め構造では、ピンを第１及び第２リブ側ピン孔の何れかに嵌合するだけで、リブによる位置決め位置を第１位置決め位置と第２位置決め位置に簡単に変更できる。
【００１４】
（４）（２）に記載の構成において、好ましくは、前記変更手段が、前記第１位置決め位置に対応するように前記リブの一端面に立設されて前記機器側ピン孔に嵌合する第１ピンと、前記第２位置決め位置に対応するように前記リブの前記一端面に対向する他端面に立設されて前記機器側ピン孔に嵌合する第２ピンであること、を特徴とする。
【００１５】
上記構成の浴室暖房乾燥機の位置決め構造では、リブの一端面に立設した第１ピンをハウジングの機器側ピン孔に嵌合すると、リブの外側面を第１開口部の角部に当接させ、浴室暖房乾燥機を第１開口部に対して位置決めすることが可能である。一方、リブの一端面に対向する他端面に立設した第２ピンをハウジングの機器側ピン孔に嵌合すると、リブの外側面を第２開口部の角部に当接させ、浴室暖房乾燥機を第２開口部に対して位置決めすることができる。よって、上記構成の浴室暖房乾燥機の位置決め構造によれば、リブの取付方向を反転させるだけで、リブによる位置決め位置を簡単に変更できる。
【００１６】
（５）（１）に記載の構成において、好ましくは、前記変更手段が、前記リブに脱着可能に装着されるカバーであることを特徴とする。
【００１７】
上記構成の浴室暖房乾燥機の位置決め構造では、カバーをリブに脱着するだけで、リブによる位置決め位置を第１位置決め位置と第２位置決め位置に簡単に変更できる。
【００１８】
（６）（１）乃至（５）の何れか一つに記載の構成において、好ましくは、前記ハウジングが、前記吹出口から前記空気を吹き出す側に、前記リブを立設されていること、
を特徴とする。
【００１９】
上記構成の浴室暖房乾燥機の位置決め構造では、開口部の洗い場側の角部にリブを当接させるように浴室暖房乾燥機を位置決めすれば、洗い場側へ温風を送り出すことができる正しい向きに浴室暖房乾燥機を取り付けることができる。
【００２０】
（７）本発明の浴室暖房乾燥機は、（１）乃至（６）の何れか一つに記載の浴室暖房乾燥機の位置決め構造を使用して前記浴室に取り付けられることを特徴とする。
【００２１】
上記構成の浴室暖房乾燥機は、第１開口部を有する浴室でも、第１開口部と寸法の異なる第２開口部を有する浴室でも位置決めして取り付けることができ、顧客が浴室暖房乾燥機を選択する際の選択幅が広げられる。
【発明の効果】
【００２２】
従って、上記構成の浴室暖房乾燥機の位置決め構造及び浴室暖房乾燥機によれば、寸法の異なる第１開口部と第２開口部に対して浴室暖房乾燥機を位置決めできる。
【図面の簡単な説明】
【００２３】
【図１】本発明の第１実施形態に係る浴室暖房乾燥機の位置決め構造を示す図である。
【図２】図１に示す浴室暖房乾燥機の上面図であって、第１及び第２位置決め位置を示す。
【図３】図１に示すリブの下面図である。
【図４】浴室暖房乾燥機の取付構造を示す図である。
【図５】浴室暖房乾燥機の内部構造を示す図である。
【図６】本発明の第２実施形態に係る浴室暖房乾燥機に用いられるリブの外観斜視図である。
【図７】本発明の第３実施形態に係る浴室暖房乾燥機に用いられるリブの外観斜視図である。
【発明を実施するための形態】
【００２４】
以下に、本発明に係る浴室暖房乾燥機の実施形態について図面に基づいて説明する。
【００２５】
（第１実施形態）
図４は、浴室暖房乾燥機１０の取付構造を示す図である。浴室１は、湯船２と洗い場３を備える。天井１ａは、湯船２の上方の位置に、開口部１ｂが開設されている。開口部１ｂは、四角形をなし、４つの角部１ｃ，１ｄ，１ｅ，１ｆを有する。浴室暖房乾燥機１０は、Ｌ字形に形成されたリブ１２，１３が立設され、リブ１２，１３の外側面１２ａ，１３ａを開口部１ｂの角部１ｃ、１ｄに図中ｘ軸方向とｙ軸方向に当接させることで、開口部１ｂに対して位置決めされ、図示しないボルトで天井１ａに取り付けられる。
【００２６】
図５は、浴室暖房乾燥機１０の内部構造を示す図である。浴室暖房乾燥機１０は、暖房・乾燥に必要な機器を内蔵する本体ケース２１と、本体ケース２１の内部が見えないように塞ぐフロントグリル２２により、ハウジング１１が設けられている。フロントグリル２２には、浴室１内の空気を吸い込む吸込口２３と、浴室１へ空気を吹き出す吹出口２４が設けられている。本体ケース２１には、吸込口２３から吸い込んだ空気を加熱して吹出口２４へ送る温風発生手段２５や、浴室暖房乾燥機１０の動作を制御する制御手段２６等が内蔵されている。このような浴室暖房乾燥機１０は、本体ケース２１を天井１ａに埋め込むようにして天井１ａに取り付けられ、温風発生手段２５が吸込口２３から吸い込んだ空気を吹出口２４へ送る方向Ａに従って温風を浴室１へ送り出し、浴室１を暖房・乾燥させる。
【００２７】
図１は、本発明の第１実施形態に係る浴室暖房乾燥機１０の位置決め構造１８を示す図である。図２は、図１に示す浴室暖房乾燥機１０の上面図であって、第１及び第２位置決め位置Ｐ１，Ｐ２を示す。図３は、リブ１２の下面図である。図１に示すように、浴室１の天井１ａには、４つの角部１ｃｘ，１ｄｘ，１ｅｘ，１ｆｘを有する四角形の第１開口部１ｂｘ、又は、第１開口部１ｂｘよりｘ軸方向とｙ軸方向の寸法を大きく設定され、４つの角部１ｃｙ，１ｄｙ，１ｅｙ，１ｆｙを有する四角形の第２開口部１ｂｙが開設される。位置決め構造１８は、リブ１２，１３による位置決め位置を、第１開口部１ｂｘに対して位置決めする第１位置決め位置Ｐ１（図２参照）と、第２開口部１ｂｙに対して位置決めする第２位置決め位置Ｐ２に変更する変更手段１９，２０を備える。
【００２８】
図１に示すように、浴室暖房乾燥機１０は、リブ１２，１３に立設されるピン１４，１５，１６，１７と、ハウジングに形成され、ピン１４〜１７に嵌合する機器側ピン孔１１ｂ，１１ｃ，１１ｄ，１１ｅを有する。変更手段１９，２０は、ピン１４〜１７をリブ１２，１３に立設する位置を変更することにより、リブ１２，１３による位置決め位置を第１位置決め位置Ｐ１（図２参照）と第２位置決め位置Ｐ２（図２参照）に変更するように構成されている。変更手段１９，２０の構成は同じなので、以下の説明では、変更手段１９に着目して詳細に説明する。
【００２９】
図１に示すように、ハウジング１１には、ピン１４，１５の一端が嵌合する嵌合ピン孔１１ｂ，１１ｃが、第１開口部１ｂｘの角部１ｃｘに対応する位置に形成され、ピン１４，１５が着脱可能に取り付けられて立設される。
【００３０】
図１及び図３に示すように、リブ１２には、外側面１２ａを角部１ｃｘに対してｘ軸方向とｙ軸方向に当接させ、第１位置決め位置Ｐ１に対応してリブ１２をハウジング１１に配置するように、リブ１２に形成され、ピン１４，１５に嵌合する第１リブ側ピン孔１２ｅｘ，１２ｆｘと、外側面１２ａを角部１ｃｙに対してｘ軸方向とｙ軸方向に当接させ、第２位置決め位置Ｐ２に対応してリブ１２をハウジング１１に配置するように、リブ１２に形成され、ピン１４，１５に嵌合する第２リブ側ピン孔１２eｙ，１２ｆｙを有する。より具体的には、第２リブ側ピン孔１２ｅｙ，１２ｆｙは、第１リブ側ピン孔１２ｅｘ，１２ｆｘを用いる場合よりリブ１２の配置を本体ケース２１から離れる方向（外側方向）へ移動させてリブ１２を第２開口部１ｂｙの角部１ｃｙに当接させることができるように、第１リブ側ピン孔１２ｅｘ，１２ｆｘに対して内側面１２ｇに近づくようにｘ軸方向とｙ軸方向にずれて形成されている。そのため、リブ１２は、第１リブ側ピン孔１２ｅｘ，１２ｆｘと第２リブ側ピン孔１２ｅｙ，１２ｆｙの何れにピン１４，１５を嵌合するかによって、リブ１２をハウジング１１に立設する位置が変更される。よって、本実施形態では、第１及び第２リブ側ピン孔１２ｅｘ，１２ｆｘ，１２ｅｙ，１２ｅｙが変更手段１９に相当する。
【００３１】
図２に示すように、ハウジング１１は、浴室暖房乾燥機１０の吹出口２４から空気を吹き出す側、すなわち、温風の吹き出し方向Ａに、リブ１２，１３が立設されている。
【００３２】
上記構成の浴室暖房乾燥機１０の位置決め構造１８では、ハウジング１１に立設されたリブ１２，１３の外側面１２ａ，１３ａを開口部１ｂの角部１ｃ,１ｄにｘ軸方向とｙ軸方向に当接させることで、浴室暖房乾燥機１０の吸込口２３と吹出口２４を開口部１ｂに対して位置決めする。浴室暖房乾燥機１０は、第１開口部１ｂｘが設けられた浴室１に取り付ける場合、変更手段１９，２０により、リブ１２，１３による位置決め位置を、第１開口部１ｂｘの角部１ｃｘ，１ｂｙに対して位置決めする第１位置決め位置Ｐ１とする。これにより、浴室暖房乾燥機１０は、吸込口２３と吹出口２４を第１開口部１ｂｘに対して位置決めした状態で浴室１の天井１ａに取り付けられる。一方、浴室暖房乾燥機１０は、第２開口部１ｂｙが設けられた浴室１に取り付ける場合、変更手段１９，２０により、リブ１２，１３による位置決め位置を、第１開口部１ｂｘと寸法が異なる第２開口部１ｂｙの角部１ｃｙ,１ｄｙに対して位置決めする第２位置決め位置Ｐ２とする。これにより、浴室暖房乾燥機１０は、吸込口２３と吹出口２４を第２開口部１ｂｙに対して位置決めした状態で浴室１の天井１ａに取り付けられる。
【００３３】
リフォームにより浴室暖房乾燥機１０を浴室１に取り付ける場合、開口部１ｂが既設されている。開口部１ｂは、最初に浴室１に取り付けられた浴室暖房乾燥機に合わせて開設されており、新設する浴室暖房乾燥機１０は既に開設されている開口部１ｂに対して位置決めする必要がある。上述したように、浴室暖房乾燥機１０の位置決め構造１８では、変更手段１９，２０により、リブ１２，１３による位置決め位置を変えることで、寸法の異なる第１及び第２開口部１ｂｘ、１ｂｙに対して浴室暖房乾燥機１０を位置決めする。そのため、顧客は、自宅の浴室１に第１開口部１ｂｘと第２開口部１ｂｙの何れが設けられた場合でも、上記構成の浴室暖房乾燥機１０を選択することができる。つまり、顧客は、自宅の浴室１に設けられた開口部１ｂの形状に制約されずに、浴室暖房乾燥機１０を選択でき、浴室暖房乾燥機１０を選択する幅が広げられる。
【００３４】
また、本実施形態の位置決め構造１８は、ハウジング１１に形成された機器側ピン孔１１ｂ〜１１ｅに、リブ１２，１３に立設されたピン１４〜１７を嵌合する場合に、変更手段１８により、ピン１４〜１７をリブ１２，１３に立設する位置を変更するだけで、リブ１２，１３による位置決め位置を第１位置決め位置Ｐ１と第２位置決め位置Ｐ２に簡単に変更できる。
【００３５】
より詳しくは、本実施形態の位置決め構造１８では、リブ１２，１３の第１リブ側ピン孔１２ｅｘ，１２ｆｘ，１３ｅｘ，１３ｆｘにピン１４〜１７を嵌合すると、リブ１２，１３の外側面１２ａ，１３ａが第１開口部１ｂｘの角部１ｃｘ，１ｄｘに当接するようにリブ１２，１３がハウジング１１に配置されるので、浴室暖房乾燥機１０を第１開口部１ｂｘに対して位置決めすることが可能である。一方、第２リブ側ピン孔１２ｅｙ，１２ｆｙ，１３ｅｙ，１３ｆｙにピン１４〜１７を嵌合すると、リブ１２，１３の外側面１２ａ，１３ａが第２開口部１ｂｙの角部１ｃｙ，１ｄｙに当接するようにリブ１２，１３がハウジング１１に配置されるので、浴室暖房乾燥機１０を第２開口部１ｂｙに対して位置決めすることが可能である。このように、上記構成の浴室暖房乾燥機１０の位置決め構造１８では、ピン１４〜１７を第１及び第２リブ側ピン孔１２ｅｘ，１２ｆｘ，１３ｅｘ，１３ｆｘ，１２ｅｙ，１２ｆｙ，１３ｅｙ、１３ｆｙの何れかに嵌合するだけで、リブ１２，１３による位置決め位置を第１位置決め位置Ｐ１と第２位置決め位置Ｐ２に簡単に変更できる。
【００３６】
ここで、浴室暖房乾燥機１０は、入浴者を心地よくさせるために、洗い場３へ向かって温風を吹き出すように取り付けられる。上記構成の浴室暖房乾燥機１０の位置決め構造１８では、リブ１２，１３が吹出口２４から空気を吹き出す側に設けられているので、開口部１ｂの洗い場３側の角部１ｃ、１ｄにリブ１２，１３を当接させるように浴室暖房乾燥機１０を位置決めすれば、洗い場３側へ温風を吹き出すことができる正しい向きに浴室暖房乾燥機１０を取り付けることができる。つまり、本実施形態では、リブ１２，１３を目印にして、浴室暖房乾燥機１０の正しい取付方向を確認できるので、未熟な作業者であっても、洗い場３と反対側へ温風を吹き出すように浴室暖房乾燥機１０を誤って取り付けることを未然に防止できる。
【００３７】
本実施形態の浴室暖房乾燥機１０の位置決め構造１８は、四角形の開口部１ｂに対して２カ所の角部１ｃ、１ｄにリブ１２，１３を各々当接させて浴室暖房乾燥機１０を開口部１ｂに対して位置決めするので、位置決め位置を極力減らして作業しやすくしつつ、安定した位置決めを実現できる。
【００３８】
従って、上記構成の浴室暖房乾燥機１０の位置決め構造１８及び浴室暖房乾燥機１０によれば、寸法の異なる第１開口部１ｂｘと第２開口部１ｂｙに対して浴室暖房乾燥機１０を位置決めできる。
【００３９】
（第２実施形態）
続いて、本発明の第２実施形態について説明する。図６は、浴室暖房乾燥機１０の位置決め構造に用いられるリブ３２の外観斜視図である。本実施形態は、第１実施形態のリブ１２，１３に変えてリブ３２とカバー３３を用いる点だけが、第１実施形態と相違する。よって、以下の説明では、第１実施形態と相違する構成及び作用効果を中心に説明し、第１実施形態と共通する構成は、第１実施形態と同一の符号を用い、適宜説明を省略する。
【００４０】
本実施形態では、リブ３２に脱着可能に装着されるカバー３３（変更手段の一例）を有する。リブ３２は、第１リブ側ピン孔１２ｅｘ、１２ｆｘが形成されているが、第２リブ側ピン孔１２ｅｙ，１２ｆｙを形成されていない。リブ３２には、カバー３３を係止するための係止溝３２ｂが形成されている。係止溝３２ｂは、リブ３２が浴室暖房乾燥機１０を開口部１ｂに対してｘ軸方向とｙ軸方向に位置決めする際にカバー３３がリブ３２に対して位置ズレしないようにするために、Ｚ軸方向に沿って形成されている。
【００４１】
カバー３３は、弾性変形可能な樹脂やゴムで形成されている。カバー３３は、リブ３２の外側面３２ａ全体を覆うようにＬ字形をなし、ブックカバーのように、両端部がリブ３２のｘ軸方向とｙ軸方向の端面３２ｃ，３２ｄにおいて内周面３２ｅ側へ折り返されて折り返し部３３ｂ，３３ｃを設けられている。カバー３３は、リブ３２に装着された際に係止溝３２ｂに係合する係合凸部３３ｄを設けられている。カバー３３は、リブ３２に装着された場合に、外側面３３ａの位置が第２位置決め位置Ｐ２となる厚さで設けられている。
【００４２】
このような本実施形態の浴室暖房乾燥機１０の位置決め構造では、例えば、浴室暖房乾燥機１０の出荷時に、リブ３２にカバー３３が取り付けられている。作業者は、現場で開口部１ｂの寸法を確認する。現場の浴室１に第２開口部１ｂｙが開設されている場合には、カバー３３を装着した状態で、リブ３２の第１リブ側ピン孔１２ｅｘ，１２ｆｘに嵌合するピン１４，１５を、ハウジング１１のピン孔１１ｂ,１１ｃにそれぞれ嵌合し、リブ３２をハウジング１１に取り付ける。これにより、リブ３２は、カバー３３を介して開口部１ｂに対して浴室暖房乾燥機１０を位置決めすることが可能になる。つまり、カバー３３の外周面３３ａが第２位置決め位置Ｐ２となる。そこで、リブ３２を洗い場３側に配置するように浴室暖房乾燥機１０の向きを調整し、カバー３３の外側面３３ａを第２開口部１ｂｙの角部１ｃｙ，１ｄｙに当接させることで浴室暖房乾燥機１０を第２開口部１ｂｙに対して位置決めし、浴室暖房乾燥機１０を天井１ａに固定する。
【００４３】
一方、作業者は、現場の浴室１に第１開口部１ｂｘが開設されている場合には、カバー３３を弾性変形させながら折り返し部３３ｂ、３３ｃをリブ３２の端面３２ｃ、３２ｄから外し、カバー３３をリブ３２から取り外す。そして、第２開口部１ｂｙに対する位置決め時と同様の手順で、ピン１４，１５を介してリブ３２とハウジング１１を連結し、浴室暖房乾燥機１０を天井１ａに取り付ける。この場合、リブ３２の位置決め位置が、第１位置決め位置Ｐ１となるので、浴室暖房乾燥機１０は、リブ３２の外側面３２ａを第１開口部１ｂｘの角部１ｃｘ，１ｄｘに当接させることで、第１開口部１ｂｘに対して位置決めされる。
【００４４】
よって、本実施形態の浴室暖房乾燥機１０の位置決め構造では、カバー３３をリブ３２に脱着するだけで、リブ３２による位置決め位置を第１位置決め位置Ｐ１と第２位置決め位置Ｐ２に簡単に変更できる。
【００４５】
（第３実施形態）
続いて、本発明の第３実施形態について説明する。図７は、第３実施形態に係る浴室暖房乾燥機１０の位置決め構造に使用されるリブ４１の外観斜視図である。本実施形態は、第１実施形態のピン１４〜１７とリブ１２，１３をリブ４１に変えた点だけが第１実施形態と相違する。以下の説明では、第１実施形態と相違する構成及び作用効果を中心に説明し、第１実施形態と共通する構成は、第１実施形態と共通する符号を用い、適宜説明を省略する。尚、リブ４１は、機器側ピン孔１１ｂ〜１１ｅに同様に取り付けられるので、ここでは、機器側ピン孔１１ｂ、１１ｃ側に着目して構成を説明する。
【００４６】
リブ４１は、一端面４１ａ（図中下端面）に機器側ピン孔１１ｂ，１１ｃに嵌合する第１ピン４２，４３（変更手段の一例）が立設され、一端面４１ａと対向する他端面４１ｂ（図中上端面）に機器側ピン孔１１ｂ，１１ｃに嵌合する第２ピン４４，４５（変更手段の一例）が立設されている。第１ピン４２，４３は、機器側ピン孔１１ｂ，１１ｃに嵌合した場合に、リブ４１の外側面１２ａを第１開口部１ｂｘの角部１ｃｘに当接させ、リブ４１による位置決め位置を第１開口部１ｂｘに対して位置決めする第１位置決め位置Ｐ１とするように、リブ４１の一端面４１ａに立設されている。第２ピン４４，４５は、機器側ピン孔１１ｂ，１１ｃに嵌合した場合に、リブ４１の外側面１２ａを第２開口部１ｂｙの角部１ｃｙ，１ｄｙに当接させ、リブ４１による位置決め位置を第２開口部１ｂｙに対して位置決めする第２位置決め位置Ｐ２とするように、リブ４１の他端面４１ｂに立設されている。
【００４７】
本実施形態の浴室暖房乾燥機１０の位置決め構造では、リブ４１の一端面４１ａに立設した第１ピン４２，４３をハウジング１１の機器側ピン孔１１ｂ，１１ｃに嵌合すると、リブ４１の外側面１２ａを第１開口部１ｂｘの角部１ｃｘに当接させ、浴室暖房乾燥機１０を第１開口部１ｂｘに対して位置決めすることが可能である。一方、リブ４１の一端面４１ａに対向する他端面４１ｂに立設した第２ピン４４，４５をハウジング１１の機器側ピン孔１１ｂ，１１ｃに嵌合すると、リブ４１の外側面１２ａの位置を第２開口部１ｂｙの角部１ｃｙに当接させ、浴室暖房乾燥機１０を第２開口部１ｂｙに対して位置決めすることができる。尚、リブ４１は、角部１ｄｘ、１ｄｙについても同様に位置決めを行う。よって、本実施形態の浴室暖房乾燥機１０の位置決め構造によれば、リブ４１を反転させるだけで、リブ４１による位置決め位置を簡単に変更できる。
【００４８】
尚、本発明は、上記実施形態に限定されることなく、色々な応用が可能である。
【００４９】
（１）例えば、上記第１〜第３実施形態では、第１開口部と第２開口部の２種類に対して位置決めできる浴室暖房乾燥機１０の位置決め構造１８を説明したが、さらに第１及び第２開口部と寸法の異なる第３開口部に対しても位置決めできる浴室暖房乾燥機１０としても良い。この場合、第３開口部に対応するリブ側ピン孔をリブ１２に増やしたり、カバー３３に変えてカバー３３と異なる厚さのカバーをリブ３２に装着することで、対応すれば良い。
【００５０】
（２）上記第１，第２実施形態では、ピン１４〜１７をリブ１２，１３，３２に着脱可能に連結するようにしたが、リブ１２，１３，３２にピン１４〜１７を一体に設けるようにしても良い。
【００５１】
（３）上記第３実施形態では、ピン４２〜４５をリブ４１に一体に設けたが、ピン４２〜４５をリブ４１に着脱可能に取り付けるようにしても良い。
【符号の説明】
【００５２】
１  浴室
１ａ  天井
１ｂ  開口部
１ｂｘ  第１開口部
１ｂｙ  第２開口部
３  洗い場
１０  浴室暖房乾燥機
１１  ハウジング
１１ｂ，１１ｃ  機器側ピン孔
１１ｃ〜１１ｆ、１１ｃｘ〜１１ｆｘ、１１ｃｙ〜１１ｆｙ  角部
１２，１３  リブ
１２ｅｘ，１２ｆｘ，１３ｅｘ，１３ｆｘ  第１リブ側ピン孔
１２ｅｙ、１２ｆｙ、１３ｅｙ、１３ｆｙ  第２リブ側ピン孔
１４〜１７  ピン
１２ａ，１３ａ  外側面
１９，２０  変更手段
１８  位置決め構造
２３  吸込口
２４  吹出口
２５  温風発生手段
３２  リブ
３３  カバー（変更手段の一例）
４１  リブ
４１ａ  一端面
４１ｂ  他端面
４２，４３  第１ピン（変更手段の一例）
４４，４５  第２ピン（変更手段の一例）
Ｐ１  第１位置決め位置
Ｐ２  第２位置決め位置
【図１】
0006279418.tif 000002
【図２】
0006279418.tif 000003
【図３】
0006279418.tif 000004
【図４】
0006279418.tif 000005
【図５】
0006279418.tif 000006
【図６】
0006279418.tif 000007
【図７】
0006279418.tif 000008